(57)【要約】【課題】地上デジタル放送における異なる複数のネットワークにそれぞれ対応する複数のＴＳ情報を速やかに取得する。【解決手段】このＴＳ情報共有システムは、デジタル放送受信装置１−１乃至１−３、およびデジタル放送対応ＴＶ２がそれぞれ個別にＴＳ情報を受信し、受信したＴＳ情報をpeer to peerで相互に転送したり、受信したＴＳ情報をサーバ６に転送して保持させ、デジタル放送受信装置１−１乃至１−３、およびデジタル放送対応ＴＶ２が、自己が受信していないＴＳ情報をサーバ６から取得できたりするようになされている。本発明は、地上デジタル放送を受信する受信装置に適用することができる。【選択図】図１
2005086387.tif 000002
【特許請求の範囲】
【請求項１】
データを含む放送信号を受信し、前記放送信号からデータを抽出して保持する受信装置において、
情報ネットワークを介して他の受信装置と接続する接続手段と、
受信するように設定されている複数の周波数にそれぞれ対応する全ての前記データが、保持されているか否かを判定する判定手段と、
前記判定手段の判定結果に対応して、保持されていない前記データを特定するための特定情報を、前記他の受信装置に通知する通知手段と、
前記通知手段による前記特定情報の通知に対応して前記他の受信装置から供給される前記データを取得し、保持させる取得手段と、
前記他の受信装置からの前記他の受信装置が保持していない前記データを特定するための特定情報の通知に対応して、保持されている前記データを、前記他の受信装置に供与する供与手段と
を含むことを特徴とする受信装置。
【請求項２】
前記通信手段は、ＩＰ(Internet Protocol)に基づき、前記情報ネットワークを介して他の受信装置と接続する
ことを特徴とする請求項１に記載の受信装置。
【請求項３】
前記通知手段は、前記判定手段の判定結果に対応して、保持されていない前記データを特定するための特定情報を、前記情報ネットワーク上のサーバにも通知し、
前記取得手段は、前記通知手段による前記特定情報の通知に対応して前記サーバから供給される前記データも取得して保持させ、
前記供与手段は、保持されている前記データを、前記サーバにも供与する
ことを特徴とする請求項１に記載の受信装置。
【請求項４】
データを含む放送信号を受信し、前記放送信号からデータを抽出して保持する受信方法において、
情報ネットワークを介して他の受信装置と接続する接続ステップと、
受信するように設定されている複数の周波数にそれぞれ対応する全ての前記データが、保持されているか否かを判定する判定ステップと、
前記判定ステップの判定結果に対応して、保持されていない前記データを特定するための特定情報を、前記他の受信装置に通知する通知ステップと、
前記通知ステップの処理による前記特定情報の通知に対応して前記他の受信装置から供給される前記データを取得し、保持させる取得ステップと、
前記他の受信装置からの前記他の受信装置が保持していない前記データを特定するための特定情報の通知に対応して、保持されている前記データを、前記他の受信装置に供与する供与ステップと
を含むことを特徴とする受信方法。
【請求項５】
データを含む放送信号を受信し、前記放送信号からデータを抽出して保持するためのプログラムであって、
情報ネットワークを介して他の受信装置と接続する接続ステップと、
受信するように設定されている複数の周波数にそれぞれ対応する全ての前記データが、保持されているか否かを判定する判定ステップと、
前記判定ステップの判定結果に対応して、保持されていない前記データを特定するための特定情報を、前記他の受信装置に通知する通知ステップと、
前記通知ステップの処理による前記特定情報の通知に対応して前記他の受信装置から供給される前記データを取得し、保持させる取得ステップと、
前記他の受信装置からの前記他の受信装置が保持していない前記データを特定するための特定情報の通知に対応して、保持されている前記データを、前記他の受信装置に供与する供与ステップと
を含む処理をコンピュータに実行させることを特徴とするプログラム。
【発明の詳細な説明】
【技術分野】
【０００１】
本発明は、受信装置および方法、並びにプログラムに関し、特に、地上デジタル放送を受信する場合に用いて好適な受信装置および方法、並びにプログラムに関する。
【背景技術】
【０００２】
日本国内におけるテレビジョン放送は、従来のアナログ地上波を利用するものに代わって、地上デジタル波を利用するもの（以下、地上デジタル放送と記述する）に移行される。
【０００３】
衛星を介するＢＳデジタル放送やＣＳデジタル放送では、１つのＴＳ（トランスポートストリーム）に、複数のチャンネルの映像および音声に相当するＡＶデータの他、複数のチャンネルの属性データ（番組の名称、放送日時、番組内容等を含むEIT(Event Information Table）、放送事業者のロゴマーク等の全ての受信装置が共通して必要な情報を含むCDT(Common Data Table)等）が多重化されている。
【０００４】
それに対して、地上デジタル放送では、１つのＴＳに、１つのチャンネル（地上デジタル放送の場合、ネットワークと称される）の映像および音声に相当するＡＶデータと、そのネットワークの属性データ（以下、ＴＳ情報と記述する）だけが含まれている（例えば、非特許文献１参照）。
【０００５】
従って、受信装置により、受信したＴＳ情報を利用して、例えば、異なる複数のネットワークから同時刻に放送される番組の番組表を表示させようとした場合、異なる複数のネットワークのＴＳ情報を取得する処理が必要とある。このような処理を実現するためには、受信装置に複数のチューナを内蔵したりする方法が考えられる。
【非特許文献１】地上デジタルテレビジョン放送運用規定  技術資料  ARIB TR-B14
【発明の開示】
【発明が解決しようとする課題】
【０００６】
しかしながら、受信する周波数を順次切り換える方法では、例えば、ユーザがあるネットワークの番組を視聴している最中には、受信する周波数を切り換えることができないし、仮にユーザが受信する周波数の切り換えを許容したとしても、異なる複数のネットワークにそれぞれ対応する複数のＴＳ情報を取得するまでに時間を要するという課題があった。
【０００７】
また、受信装置に複数のチューナを内蔵する方法は、受信装置がコスト高となってしまう課題があった。
【０００８】
本発明はこのような状況に鑑みてなされたものであり、地上デジタル放送における異なる複数のネットワークにそれぞれ対応する複数のＴＳ情報を速やかに取得できるようにすることを目的とする。
【課題を解決するための手段】
【０００９】
本発明の受信装置は、情報ネットワークを介して他の受信装置と接続する接続手段と、受信するように設定されている複数の周波数にそれぞれ対応する全てのデータが、保持されているか否かを判定する判定手段と、判定手段の判定結果に対応して、保持されていないデータを特定するための特定情報を、他の受信装置に通知する通知手段と、通知手段による特定情報の通知に対応して他の受信装置から供給されるデータを取得し、保持させる取得手段と、他の受信装置からの他の受信装置が保持していないデータを特定するための特定情報の通知に対応して、保持されているデータを、他の受信装置に供与する供与手段とを含むことを特徴とする。
【００１０】
前記通信手段は、ＩＰに基づき、情報ネットワークを介して他の受信装置と接続するようにすることができる。
【００１１】
前記通知手段は、判定手段の判定結果に対応して、保持されていないデータを特定するための特定情報を、情報ネットワーク上のサーバにも通知し、前記取得手段は、通知手段による特定情報の通知に対応してサーバから供給されるデータも取得して保持させ、前記供与手段は、保持されているデータを、サーバにも供与するようにすることができる。
【００１２】
本発明の受信方法は、情報ネットワークを介して他の受信装置と接続する接続ステップと、受信するように設定されている複数の周波数にそれぞれ対応する全てのデータが、保持されているか否かを判定する判定ステップと、判定ステップの判定結果に対応して、保持されていないデータを特定するための特定情報を、他の受信装置に通知する通知ステップと、通知ステップの処理による特定情報の通知に対応して他の受信装置から供給されるデータを取得し、保持させる取得ステップと、他の受信装置からの他の受信装置が保持していないデータを特定するための特定情報の通知に対応して、保持されているデータを、他の受信装置に供与する供与ステップとを含むことを特徴とする。
【００１３】
本発明のプログラムは、情報ネットワークを介して他の受信装置と接続する接続ステップと、受信するように設定されている複数の周波数にそれぞれ対応する全てのデータが、保持されているか否かを判定する判定ステップと、判定ステップの判定結果に対応して、保持されていないデータを特定するための特定情報を、他の受信装置に通知する通知ステップと、通知ステップの処理による特定情報の通知に対応して他の受信装置から供給されるデータを取得し、保持させる取得ステップと、他の受信装置からの他の受信装置が保持していないデータを特定するための特定情報の通知に対応して、保持されているデータを、他の受信装置に供与する供与ステップとを含む処理をコンピュータに実行させることを特徴とする。
【００１４】
本発明の受信装置および方法、並びにプログラムにおいては、保持されていないデータを特定するための特定情報が、他の受信装置に通知され、その通知に対応して他の受信装置から供給されるデータが取得されて保持される。
【発明の効果】
【００１５】
本発明によれば、地上デジタル放送における異なる複数のネットワークにそれぞれ対応する複数のＴＳ情報を速やかに取得することが可能となる。
【発明を実施するための最良の形態】
【００１６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１８】
［請求項１］
データ（例えばＴＳ情報）を含む放送信号（例えば、地上デジタル放送信号）を受信し、前記放送信号からデータを抽出して保持する受信装置（例えば、図１のデジタル放送受信装置１−１）において、
情報ネットワーク（例えば、LAN４あるいはインタネット５）を介して他の受信装置（例えば、図１のデジタル放送受信装置１−２）と接続する接続手段（例えば、図２の通信部１６）と、
受信するように設定されている複数の周波数にそれぞれ対応する全ての前記データが、保持されているか否かを判定する判定手段（例えば、図４のステップＳ１の処理を行う図２の制御部１１）と、
前記判定手段の判定結果に対応して、保持されていない前記データを特定するための特定情報（例えば、ネットワークＩＤ）を、前記他の受信装置に通知する通知手段（例えば、図４のステップＳ４の処理を行う図２の通信部１６）と、
前記通知手段による前記特定情報の通知に対応して前記他の受信装置から供給される前記データを取得し、保持させる取得手段（例えば、図４のステップＳ６の処理を行う図２の制御部１１）と、
前記他の受信装置からの前記他の受信装置が保持していない前記データを特定するための特定情報の通知に対応して、保持されている前記データを、前記他の受信装置に供与する供与手段（例えば、図４のステップＳ５の処理を行う図２の制御部１１）と
を含むことを特徴とする受信装置。
［請求項４］
データを含む放送信号を受信し、前記放送信号からデータを抽出して保持する受信方法において、
情報ネットワークを介して他の受信装置と接続する接続ステップ（例えば、図４のステップＳ２）と、
受信するように設定されている複数の周波数にそれぞれ対応する全ての前記データが、保持されているか否かを判定する判定ステップ（例えば、図４のステップＳ１）と、
前記判定ステップの判定結果に対応して、保持されていない前記データを特定するための特定情報を、前記他の受信装置に通知する通知ステップ（例えば、図４のステップＳ４）と、
前記通知ステップの処理による前記特定情報の通知に対応して前記他の受信装置から供給される前記データを取得し、保持させる取得ステップ（例えば、図４のステップＳ６）と、
前記他の受信装置からの前記他の受信装置が保持していない前記データを特定するための特定情報の通知に対応して、保持されている前記データを、前記他の受信装置に供与する供与ステップ（例えば、図４のステップＳ５）と
を含むことを特徴とする受信方法。
【００１９】
なお、本発明のプログラムの請求項に記載の構成要件と、発明の実施の形態における具体例との対応関係は、上述した本発明の受信方法のものと同様であるので、その記載は省略する。
【００２０】
以下、本発明を適用したデジタル放送受信装置について説明する。図１は、本発明を適用したデジタル放送受信装置を含むＴＳ情報共有システムの構成例を示している。このＴＳ情報共有システムは、デジタル放送受信装置１−１，１−２（以下、個々に区別する必要がない場合、単にデジタル放送受信装置１と記述する）、およびデジタル放送受信装置１と同等のチューナが内蔵されたデジタル放送対応テレビジョン受像機（デジタル放送対応ＴＶ）２がハブ３を介して接続されて構成されるLAN(Local Area Network)４と、LAN４とインタネット５を介して接続されるサーバ６、およびデジタル放送受信装置１−３から構成される。
【００２１】
このＴＳ情報共有システムは、デジタル放送受信装置１−１乃至１−３、およびデジタル放送対応ＴＶ２がそれぞれ個別にＴＳ情報を受信し、受信したＴＳ情報をpeer to peerで相互に転送したり、受信したＴＳ情報をサーバ６に転送して保持させ、デジタル放送受信装置１−１乃至１−３、およびデジタル放送対応ＴＶ２が、自己が受信していないＴＳ情報をサーバ６から取得できたりするようになされている。
【００２２】
なお、ＴＳ情報共有システムにおいて通信されるＴＳ情報とは、番組の名称、放送日時、番組内容等を含むEIT、放送事業者のロゴマーク等の全ての受信装置が共通して必要な情報を含むCDTのうちの一部分であってもよい。
【００２３】
また、LAN４およびインタネット５においては、ＩＰ(Internet Protocol:Requests For Comments(RFC791))に従って所定のデータが通信されるものとする。
【００２４】
次に図２は、デジタル放送受信装置１−１の構成例を示している。制御部１１には、ユーザの操作を受け付けて対応する操作コマンドを生成する操作入力部１２、制御用プログラムが記憶されているROM１３、および各種のデータを記憶するRAM１４が接続されている。また、制御部１１には、バス１５を介して、通信部１６乃至音声信号処理部２２が接続されている。
【００２５】
制御部１１は、ROM１３に記憶されている制御用プログラムに基づき、操作入力部１２から入力される操作コマンドに対応して、デジタル放送受信装置１−１の各部を制御する。RAM１４には、取得したＴＳ情報が保持される。また、RAM１４には、RAM１４によるＴＳ情報の保持状況を示すＴＳ情報保持状況テーブル４１（図３）が記憶されている。制御部１１は、ＴＳ情報を取得する毎にRAM１４のＴＳ情報保持状況テーブル４１を更新する。また、制御部１１は、RAM１４のＴＳ情報保持状況テーブル４１に基づき、未取得のＴＳ情報を、LAN４を構成するデジタル放送受信装置１−２やデジタル放送対応ＴＶ２、またはインタネット５上のサーバ６あるいはデジタル放送受信装置１−３等から取得するように、デジタル放送受信装置１−１の各部を制御する。
【００２６】
図３は、RAM１４に記憶されているＴＳ情報保持状況テーブル４１の一例を示している。ＴＳ情報保持状況テーブル４１には、当該デジタル放送受信装置１−１が受信するように設定されている各ネットワークについて、対応するＴＳ情報を取得しているか否かを示すフラグと、取得されているＴＳ情報の有効／無効を示す情報（１ビットのフラグであってもよいし、受信日時、あるいは有効期限の日時等であってもよい）が記録されている。
【００２７】
図２に戻る。通信部１６は、ＩＰに従って、LAN４を構成するデジタル放送受信装置１−２やデジタル放送対応ＴＶ２、またはインタネット５上のサーバ６あるいはデジタル放送受信装置１−３とＴＳ情報を通信する。フロントエンド部１７は、制御部１１からの制御に従い、アンテナの出力から、ユーザの選局に対応するＴＳを抽出してデスクランブラ１８に出力する。デスクランブラ１８は、フロントエンド部１７から入力されるＴＳのスクランブルを適宜解除して、デマルチプレクサ１９に出力する。デマルチプレクサ１９は、デスクランブラ１８から入力されるＴＳから、映像データおよび音声データを分離し、映像データおよび音声データをMPEGデコーダ２０に出力する。また、デマルチプレクサ１９は、デスクランブラ１８から入力されるＴＳからＴＳ情報を分離して、バス１５を介して制御部１１に出力する。
【００２８】
MPEGデコーダ２０は、デマルチプレクサ１９から入力された映像データおよび音声データをデコードし、その結果得られる映像信号および音声信号を、それぞれ映像信号処理部２１または音声信号処理部２２に出力する。映像信号処理部２１は、MPEGデコーダ２０から入力された映像信号に対し、所定の画像処理を行ってモニタ３０に出力する。音声信号処理部２２は、MPEGデコーダ２０から入力された音声信号に対し、所定の音声処理を行って出力する。
【００２９】
なお、デジタル放送受信装置１−２，１−３の構成例については、デジタル放送受信装置１−１と同様であるので、その説明は省略する。また、デジタル放送対応ＴＶ２に内蔵されるチューナもデジタル放送受信装置１−１と同様に構成されているものとする。
【００３０】
次に、デジタル放送受信装置１−１による、自己が取得してないＴＳ情報を、ＴＳ情報共有システムを構成する他の装置から取得する処理（以下、要求側のＴＳ情報共有処理と記述する）について、図４のフローチャートを参照して説明する。この要求側のＴＳ情報共有処理は、所定の周期毎（例えば、数十分乃至数時間毎）に実行される。
【００３１】
ステップＳ１において、制御部１１は、RAM１４のＴＳ情報保持状況テーブル４１を参照し、受信するように設定されているネットワーク（例えば、リモートコントローラ（不図示）の数字ボタンに割り当てられているネットワーク）にそれぞれ対応するＴＳ情報のうち、未取得もの、または取得していてもそれが無効であるものがあるか否かを判定する。受信するように設定されているネットワークにそれぞれ対応するＴＳ情報のうち、未取得もの、および取得していてもそれが無効であるものはないと判定された場合、受信するように設定されているネットワークにそれぞれ対応する有効なＴＳ情報がRAM１４に保持されていることになるので、この要求側のＴＳ情報共有処理は終了される。
【００３２】
ステップＳ１において、受信するように設定されているネットワークにそれぞれ対応するＴＳ情報のうち、未取得もの、または取得していてもそれが無効であるものがあると判定された場合、処理はステップＳ２に進む。ステップＳ２において、通信部１６は、制御部１１からの制御に基づき、LAN４やインタネット５上で通信相手（デジタル放送受信装置１−２，１−３、デジタル放送対応ＴＶ２、またはサーバ６）の検出を開始する。ステップＳ３において、制御部１１は、通信部１６によって通信相手が検出できたか否かを判定する。ここで、通信相手が検出できなかったと判定された場合、この要求側のＴＳ情報共有処理は終了される。
【００３３】
ステップＳ３において、通信相手が検出できたと判定された場合、処理はステップＳ４に進む。以下、通信相手として、デジタル放送受信装置１−２が検出されたと仮定する。ステップＳ４において、通信部１６は、制御部１１からの制御に従い、ＴＳ情報が未取得であったり、ＴＳ情報を取得済であってもそれが無効であったりするネットワークを特定できるネットワークＩＤを、検出されたデジタル放送受信装置１−２に通知する。
【００３４】
この通知に対して、デジタル放送受信装置１−２では、通知されたネットワークＩＤに対応する有効なＴＳ情報を保持している場合、そのＴＳ情報がデジタル放送受信装置１−１に送信する。なお、通信相手であるデジタル放送受信装置１−２の処理については、図５のフローチャートを参照して後述する。
【００３５】
ステップＳ５において、通信部１６は、制御部１１からの制御に従い、RAM１４に保持されている有効なＴＳ情報を、デジタル放送受信装置１−２に送信する。なお、ステップＳ５の処理は、省略してもよいが、通信相手がサーバ６である場合には、可能なかぎり実行するようにする。これにより、サーバ６には、数多くの有効なＴＳ情報が蓄積されることになる。
【００３６】
ステップＳ６において、通信部１６は、デジタル放送受信装置１−２から供与されるＴＳ情報を受信し、バス１５を介して制御部１１に出力する。制御部１１は、入力されたＴＳ情報をRAM１４に保持させるとともに、入力されたＴＳ情報に対応して、RAM１４のＴＳ情報保持状況テーブル４１を更新する。以上で、要求側のＴＳ情報共有処理は終了される。
【００３７】
以上説明した、要求側のＴＳ情報共有処理が周期的に実行されることにより、デジタル放送受信装置１−１のRAM１４には、受信するように設定されているネットワークにそれぞれ対応する有効なＴＳ情報が保持されるようになるので、例えば、選局していないネットワークの番組表等の表示を指示するユーザの操作に対応して、速やかに番組表等を表示することが可能となる。
【００３８】
ただし、上述した要求側のＴＳ情報共有処理では、通信相手であるデジタル放送受信装置１−２が、デジタル放送受信装置１−１から通知されたネットワークＩＤに対応する有効なＴＳ情報を自己が保持していない場合、それを供給することができないので、ステップ２において、デジタル放送受信装置１−１が、所望するＴＳ情報を保持している通信相手を検出するようにしてもよい。
【００３９】
次に、通信相手であったデジタル放送受信装置１−２による、ＴＳ情報共有システムを構成する他の装置（いまの場合、デジタル放送受信装置１−１）からの要求に対応して、自己が取得済のＴＳ情報を供与する処理（以下、供与側のＴＳ情報共有処理と記述する）について、図５のフローチャートを参照して説明する。
【００４０】
ステップＳ１１において、デジタル放送受信装置１−２の通信部１６は、ＴＳ情報共有システムを構成する他の装置から送信される通信の要求（図４のステップＳ２の処理に相当）があるまで待機する。通信の要求があった場合、処理はステップＳ１２に進む。いまの場合、デジタル放送受信装置１−１から、通信の要求があったと仮定する。ステップＳ１２において、通信部１６は、通信を要求してきたデジタル放送受信装置１−１から送信されたネットワークＩＤを受信する。
【００４１】
ステップＳ１３において、制御部１１は、RAM１４のＴＳ情報保持状況テーブル４１を参照し、受信したネットワークＩＤに対応する有効なＴＳ情報を保持しているか否かを判定する。受信したネットワークＩＤに対応する有効なＴＳ情報を保持していると判定された場合、処理はステップＳ１４に進む。ステップＳ１４において、通信部１６は、制御部１１からの制御に従い、RAM１４に保持されている、受信したネットワークＩＤに対応する有効なＴＳ情報を、デジタル放送受信装置１−１に送信する。
【００４２】
ステップＳ１５において、通信部１６は、図４のステップＳ５の処理を行うデジタル放送受信装置１−１からのＴＳ情報を受信し、バス１５を介して制御部１１に出力する。なお、デジタル放送受信装置１−１からの送信されたＴＳ情報の受信を拒絶するようにしてもよい。
【００４３】
ステップＳ１６において、制御部１１は、供給されたＴＳ情報を必要に応じてRAM１４に保存する。具体的には、供給されたＴＳ情報が、受信するように設定されているネットワークに対応するものであって未取得であったり、取得済のものよりも新しいものであったりした場合、RAM１４に保存するようにする。この後、処理はステップＳ１１に戻り、それ以降の処理が繰り返される。
【００４４】
なお、ステップＳ１３において、受信したネットワークＩＤに対応する有効なＴＳ情報を保持していないと判定された場合、ステップＳ１４はスキップされる。以上で、供与側のＴＳ情報共有処理の説明を終了する。
【００４５】
ただし、上述した供与側のＴＳ情報共有処理では、デジタル放送受信装置１−１から通知されたネットワークＩＤに対応する有効なＴＳ情報を自己が保持していない場合、それを供給することができないので、デジタル放送受信装置１−２が、デジタル放送受信装置１−１から通知されたネットワークＩＤに対応する有効なＴＳ情報を保持している他の装置を検索して、そのＴＳ情報を取得し、デジタル放送受信装置１−１に供与するようにしてもよい。
【００４６】
また、この供与側のＴＳ情報共有処理を実行するデジタル放送受信装置１−２は、上述した要求側のＴＳ情報共有処理も並行して実行している。反対に、上述した要求側のＴＳ情報共有処理を実行するデジタル放送受信装置１−１も、この供与側のＴＳ情報共有処理も並行して実行している。デジタル放送受信装置１−３、およびデジタル放送対応ＴＶ２も同様である。
【００４７】
なお、本発明は、本実施の形態の他、テレビジョン受像機、パーソナルコンピュータ等に適用することが可能である。
【００４８】
また、本明細書において、プログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００４９】
【図１】本発明を適用したデジタル放送受信装置を含むＴＳ情報共有システムの構成例を示すブロック図である。
【図２】本発明を適用したデジタル放送受信装置の構成例を示すブロック図である。
【図３】図２のRAMに保持されるＴＳ情報保持状況テーブルの一例を示す図である。
【図４】本発明を適用したデジタル放送受信装置による、要求側のＴＳ情報共有処理を説明するフローチャートである。
【図５】本発明を適用したデジタル放送受信装置による、供与側のＴＳ情報共有処理を説明するフローチャートである。
【符号の説明】
【００５０】
１  デジタル放送受信装置，  １１  制御部，  １２  操作入力部，  １３  ROM，  １４  RAM，  １６  通信部，  ４１  ＴＳ情報保持状況テーブル
【図１】
2005086387.tif 000003
【図２】
2005086387.tif 000004
【図３】
2005086387.tif 000005
【図４】
2005086387.tif 000006
【図５】
2005086387.tif 000007